(57)【特許請求の範囲】
【請求項１】
地面に差し込まれる中空状の杭本体と、
当該杭本体の軸方向と異なる方向に突出する円弧状に湾曲した突出部材と、
当該突出部材の湾曲した軸線方向に沿って、当該突出部材を杭本体の内部から突出させる突出機構と、を設け、
前記突出部材の上端部を、杭本体の軸線と垂直に交わる面方向に沿ってスライド可能に保持する保持部を設けるようにした杭。
【請求項２】
前記突出部材が、杭本体の軸方向から見た場合に、前記杭本体の軸心を通らない方向に沿って上下方向に湾曲したものである請求項１に記載の杭。
【発明の詳細な説明】
【技術分野】
【０００１】
本発明は、地面から抜けにくくした杭に関するものであり、例えば、足罠で鹿や猪などの有害動物を捕獲した場合、その場から逃げようとして強い力で引っ張ったとしても、地面から抜けないようにした杭に関するものである。
【背景技術】
【０００２】
近年、山間部に近い地域では、鹿や猪などが多く出没するようになってきており、田畑への被害も多数報告されている。そこで、このような地域では有害動物を駆除するために、檻や足罠などの捕獲装置を仕掛けて有害動物を捕獲するような試みが行われている。
【０００３】
しかしながら、このような捕獲装置を設置する場合、檻は比較的重くて大きいため、高齢者が一人で運搬して設置することが難しい。これに対して、足罠は比較的軽くて小さいため、高齢者が一人で運搬して設置することが容易であるとともに、装置全体を枯葉などで隠すことができるために、有害動物の捕獲には非常に有効なものである（特許文献１など）。
【先行技術文献】
【特許文献】
【０００４】
【特許文献１】実用新案登録第３１１８９１０号公報
【発明の概要】
【発明が解決しようとする課題】
【０００５】
しかしながら、このような足罠で有害動物を捕獲する場合、次のような問題がある。
【０００６】
すなわち、足罠を設置する場合、その足罠に掛かった動物を逃がさないようにするために樹木にワイヤーを巻き付けて固定する必要があるが、平野部の田畑などではこのような樹木が近くに存在しないため、ワイヤーを樹木などに巻き付けることができない。このため、一般的には、平地に杭を埋め込んでワイヤーを連結し、足罠に掛かった有害動物をその場から逃げないようにしているが、大きな鹿や猪などが掛かった場合、逃げる際の大きな力によって杭が抜けてしまう可能性があった。
【０００７】
そこで、本発明は上記課題を解決するために、地面への差し込みが容易であるとともに、地面へ差し込んだ後には、地面から容易に抜けないようにした杭を提供することを目的とする。
【課題を解決するための手段】
【０００８】
すなわち、本発明は上記課題を解決するために、地面に差し込まれる中空状の杭本体と、当該杭本体の軸方向と異なる方向に突出する円弧状に湾曲した突出部材と、当該突出部材の湾曲した軸線方向に沿って、当該突出部材を杭本体の内部から突出させる突出機構とを設け、前記突出部材の上端部を、杭本体の軸線と垂直に交わる面方向に沿ってスライド可能に保持する保持部を設けるようにしたものである。
【０００９】
また、前記突出部材を、杭本体の軸方向から見た場合に、前記杭本体の軸心を通らない方向に沿って上下方向に湾曲させるようにする。
【発明の効果】
【００１０】
本発明によれば、地面に差し込まれる中空状の杭本体と、当該杭本体の軸方向と異なる方向に突出する円弧状に湾曲した突出部材と、当該突出部材の湾曲した軸線方向に沿って、当該突出部材を杭本体の内部から突出させる突出機構とを設けるようにしたので、杭本体から突出する突出部材によって杭が地面から抜けるようなことがなくなる。これにより、例えば、足罠で動物を捕獲した場合、その杭によって動物が逃げるようなことがなくなる。
【図面の簡単な説明】
【００１１】
【図１】本発明の一実施の形態における有害動物捕獲装置の全体概略図
【図２】同形態における捕獲部の平面概略図
【図３】図１におけるＡ−Ａ断面概略図
【図４】図１におけるＢ−Ｂ断面概略図（一部の突出部材を図示）
【図５】同形態における突出部材を突出させる際の原理を示す図
【図６】同形態における突出部材を突出させる際の原理を示す図
【図７】直線状の突出部材の回動支点を固定したまま突出させた場合の状態図
【発明を実施するための形態】
【００１２】
以下、本発明の一実施の形態について図面を参照しながら説明する。
【００１３】
この実施の形態における杭５は、一例として、図１に示すように、足罠によって捕獲された鹿や猪などの有害動物をその場から逃げられないようにした有害動物捕獲装置１に適用されるものであって、筒状の杭本体５１の内部で突出機構７を用いて突出部材６を側方へ突出させ、これによって、杭本体５１を地面から抜けにくくするようにしたものである。以下、本実施の形態における杭５が適用される有害動物捕獲装置１の構成について詳細に説明する。
【００１４】
まず、捕獲部２は、動物の足を挟み込んで締め付けることによって動物を捕獲できるようにしたものであって、例えば、足をワイヤーで締め付ける「足くくり罠」や、足を金具で挟み込む「アニマルトラップ」などで構成される。
【００１５】
この「足くくり罠」の一例として、ここでは図１や図２に示すように、地面に設置されるボックス２１と、そのボックス２１の内側に落とし込まれるように設けられる仕掛部２２とを設けて構成している。この仕掛部２２は、底板２３の左右両端から起立する側壁２３ａに一対のコの字状をなす回動部材２５を取り付け、これらの回動部材２５をピン２４を介して閉じることで、その回動部材２５の外側に掛けられていたワイヤー３で動物の足を締め付けるようにしている。より具体的には、この回動部材２５は、図１に示すように、側壁２３ａの高い位置に設けられたピン２４に取り付けられており、そのピン２４から離れた外側片２５ｂをピン２４よりも下方に位置させるようにしている。また、この回動部材２５の外側片２５ｂは、ボックス２１の端部よりも外側に位置するように設けられており、ピン２４から伸びるアーム２５ａをボックス２１の側壁に載せて、底板２３をボックス２１から浮かすようにしている。また、この回動部材２５には、内径を小さくできるようなループを形成したワイヤー３が取り付けられており、そのワイヤー３にスプリング３１を取り付けることで、ループを縮める方向に力を付与している。このとき、回動部材２５の外側にワイヤー３のループを掛けた状態でスプリング３１で力を付与したとしても、ピン２４よりも低い位置に回動部材２５の外側片２５ｂが位置しているので、回動部材２５が閉じるようなことがない。そして、この状態で捕獲部２に動物が足を踏み入れると、底板２３がボックス２１に落ち、これとともに、回動部材２５のアーム２５ａがボックス２１の端部に押されて外側片２５ｂが上側に回動する。すると、スプリング３１の力によって回動部材２５が思案点を超えて大きく上側に回動し、ワイヤー３が回動部材２５から外れて動物の足を強く締め付ける。なお、本実施の形態では、このような足くくり罠で捕獲部２を構成しているが、他の構成の足罠で構成するようにしてもよい。
【００１６】
この捕獲部２のワイヤー３は杭５に連結され、罠にかかった動物をその場から逃げられないようにしている。なお、ここでは捕獲部２のワイヤー３を杭５に連結させるようにしているが、これとは別体のチェーンや他のワイヤーなどで連結させるようにしてもよい。
【００１７】
この杭５は、図１に示すように、地面に差し込まれるように埋設させる杭本体５１と、この杭本体５１の側面から突出する突出部材６と、この突出部材６を側方へと突出させるようにする突出機構７とを設けて構成されている。
【００１８】
この杭本体５１は、図３や図４に示すように、筒状に構成されており、中空状の内部に突出部材６や突出機構７を備えている。この杭本体５１の地面から表出している部分には、ワイヤー３などの連結部材を取り付けるための棒状部材５３が取り付けられており、この棒状部材５３にワイヤー３を連結させて固定するようにしている。この棒状部材５３は、杭本体５１を地面から抜く際にも利用され、その棒状部材５３を手で持って引き上げることによって地面から引き抜けるようになっている。また、この棒状部材５３の下方には、軸方向に沿った平面状のプレート５４が４方向に取り付けられる。このプレート５４は、捕獲された動物によって水平方向に力が付与された場合であっても、その力に耐えられるようにしたものであって、これによって杭５を抜けにくくしている。また、この杭本体５１の下端部近傍には、後述する突出部材６を突出させるための複数の穴５２が設けられている。この穴５２は、突出部材６の外形形状にほぼ一致するような円形状をなすものであって、これによって、その穴５２と突出部材６との隙間を小さくして土砂などが入らないようにしている。
【００１９】
次に、この杭本体５１の内部に設けられる突出部材６およびその突出機構７について詳細に説明する。
【００２０】
まず、この杭本体５１の内部に設けられる突出部材６は、湾曲した棒状の部材で構成されており、その先端側から杭本体５１の穴５２から突出させるように設けられている。この湾曲形状としては、ここでは一定の曲率を有する部材で構成されており、その突出部材６を下降させる際に、図５および図６に示すように、その曲率に沿った方向に突出部材６を移動させるようにしている。また、杭本体５１の軸方向から見た場合に、図４に示すように、この突出部材６の突出方向を杭本体５１の軸心を通らない方向に設定しておく。このような方向に突出部材６を突出させる場合、その突出部材６の上端部６１にローラ６２を設けるとともに、そのローラ６２を円形の保持部６３の溝６４にスライド可能に保持させるようにする。この溝６４は、杭本体５１の半径方向から傾斜した方向に設けられており、これによって、突出部材６を下降させることに伴って、その上端部６１を突出部材６の軸方向にスライドさせるようにする。このように構成すれば、半径方向に沿って溝を形成した場合に比べて、突出部材６の曲率を大きくできるとともに、杭本体５１の軸心を通らない方向に突出させるので、突出部材６を長く確保できるようになる。
【００２１】
これに対して、このような突出部材を直線状に形成するとともに、その上端部の回動支点を固定しておいた場合の作用について説明する。図８に示すように、突出部材６ａを直線状に構成するとともに、その上端部の回動支点を固定しておくと、突出部材６ａが下降するにつれて、図中の斜線領域のように突出部材６ａが跳ね上がるように回動し、突出部材６ａが土砂に当たって動かすことができなくなる。また、上端部の回動位置が固定されている場合は、突出部材６ａが起立状態の時の上下幅に対応して穴５２ａを大きくしておく必要があり、突出部材６ａを下降させた際に、図８（ｃ）に示す大きな隙間部分から土砂が入り込んでしまうという問題を生ずる。
【００２２】
これに対して、突出部材６を湾曲させるとともに、その上端部６１をスライド可能に保持しておくことで、突出部材６を下降させる際に、その上端部６１をスライドさせて軸方向に突出部材６を移動させることができ、地中を突き刺すように突出部材６を突出させることができるようになる。また、突出部材６を軸方向に突出させるので、杭本体５１の穴５２を小さくすることができ、その穴５２との隙間から土砂が入り込むようなことがなくなる。
【００２３】
この保持部６３は、突出機構７を介して昇降させられるように構成されている。この突出機構７は、杭本体５１の内側上方に固定された軸受部材７１にロッド７２を回動可能に取り付けるとともに、そのロッド７２を軸方向に回転させることで保持部６３を進退させるようにしている。このロッド７２の下方側にはネジ山が設けられており、このネジ山を保持部６３の中央に設けられたネジ穴に挿入することで、ロッド７２を回転させて保持部６３を進退させるようにしている。このロッド７２の回転は、図１のＡ−Ａ断面図である図３に示すように、軸受部材７１から突出する部分に図示しない工具を取り付けることによって回転させられるようになっている。
【００２４】
次に、このように構成された杭５の取り付け方法や捕獲部２の設置方法について説明する。
【００２５】
まず、近くに樹木などのない平野部に設置する場合、地面に縦長状の穴を掘って杭本体５１を埋める。この際、あまり地面が柔らかくならないように杭本体５１の部分だけを掘り、ハンマーなどで上から叩いて地面に差し込んでいく。
【００２６】
そして、杭本体５１に設けられたプレート５４を地面に埋設させ、今度はロッド７２の上端部６１に工具を取り付けて回転させ、保持部６３を下降させていく。
【００２７】
すると、その保持部６３に保持された複数の突出部材６は下方に移動していき、その突出部材６の下端部分は杭本体５１の穴５２から徐々に側方へと押し出されていく。このとき、円弧状に湾曲した突出部材６の上端部６１は、保持部６３の溝６４に沿ってスライドできるようになっているため、突出部材６を下降させるにつれて上端部６１を軸方向の軌跡に沿って移動させることができる。これにより、突出部材６を地中に軸方向に突出させることができるようになる。
【００２８】
次に、今度は捕獲部２を設置していく。この捕獲部２を設置する場合に、地面にボックス２１が入り込むよう浅い穴を掘り、その穴にボックス２１をセットし、そのボックス２１の内側に仕掛部２２を載せる。このとき、両側に開いた回動部材２５の外側にワイヤー３で作られたループを掛け、そのループが縮まるようにスプリング３１を固定しておく。そして、その状態で、その捕獲部２の全体を枯葉や土などで全体を隠す。
【００２９】
このように設置された捕獲部２の中央に動物が足を踏み入れると、仕掛部２２の底板２３がボックス２１に落とされ、アーム２５ａがボックス２１の側壁に当たって回動部材２５が思案点を超えて上側に回動する。すると、その回動に伴って回動部材２５の外側に掛けられていたワイヤー３が外れ、スプリング３１の力によってループが縮まり、動物の足が強く締め付けられるようになる。
【００３０】
このとき、捕獲された動物は他の足を使って逃げようとするが、杭本体５１の外周部分に設けられたプレート５４や杭本体５１の側方に突出する突出部材６によって杭５が抜けることがなくなる。これによって、その動物を捕獲することができるようになる。
【００３１】
このように上記実施の形態によれば、地面に差し込まれる中空状の杭本体５１と、当該杭本体５１の軸方向と異なる方向に突出する円弧状に湾曲した突出部材６と、当該突出部材６の湾曲した軸線方向に沿って、当該突出部材６を杭本体５１の内部から突出させる突出機構７とを設け、前記突出部材６の上端部を、杭本体５１の軸線と垂直に交わる面方向に沿ってスライド可能に保持する保持部６３を設けるようにしたので、杭本体５１から突出する突出部材６で杭５が地面からの抜けるようなことがなくなる。これにより、捕獲部２で捕獲された動物が逃げるようなことがなくなる。
【００３２】
なお、本発明は上記実施の形態に限定されることなく、種々の態様で実施することができる。
【００３３】
例えば、上記実施の形態では、杭本体５１を円筒状に形成しているが、角形の中空状に形成してもよい。
【００３４】
加えて、上記実施の形態では、突出部材６を棒状の部材で構成したが、板状などのような他の形状に構成してもよい。
【００３５】
また、上記実施の形態では、有害動物捕獲装置１に使用されるケースについて説明したが、有害動物捕獲装置１に限定されるものではなく、これ以外の分野においても適用することができる。
【符号の説明】
【００３６】
１・・・有害動物捕獲装置
２・・・捕獲部
２１・・・ボックス
２２・・・仕掛部
２３・・・底板
２４・・・ピン
２５・・・回動部材
２５ａ・・・アーム
２５ｂ・・・外側部
３・・・ワイヤー
３１・・・スプリング
５・・・杭
５１・・・杭本体
５２・・・穴
５３・・・棒状部材
５４・・・プレート
６・・・突出部材
６１・・・上端部
６２・・・ローラ
６３・・・保持部
６４・・・溝
７・・・突出機構
７１・・・軸受部材
７２・・・ロッド
【図１】
0006491066.tif 000002
【図２】
0006491066.tif 000003
【図３】
0006491066.tif 000004
【図４】
0006491066.tif 000005
【図５】
0006491066.tif 000006
【図６】
0006491066.tif 000007
【図７】
0006491066.tif 000008